(57)【要約】      （修正有）【課題】臨界電圧補償可能なソースホロワを提供する。【解決手段】臨界電圧補償可能なソースホロワであって、ｎ型トランジスタと電源とスイッチング回路とを有する。ｎ型トランジスタは、ドレーンとゲートとソースとを有し、ドレーンは正電圧に接続され、ソースは出力電圧を出力する。電源は第一端および第二端を有し、第一端はｎ型トランジスタのソースに接続され、第二端は接地電位に接続されている。スイッチング回路は、ｎ型トランジスタと電源と入力電圧とに接続され、第一スイッチと第二スイッチと第三スイッチと蓄積用キャパシタとを含んでいる。これにより、電源を利用して薄膜トランジスタの臨界電位を固定すると共に、入力電圧を出力電圧とほぼ同じにする。従って、出力電圧の誤差をグレイレベル電圧の誤差範囲内に留めることが可能となる。【選択図】        図２−１
2004354560.tif 000002
【特許請求の範囲】
【請求項１】
ドレーンとゲートとソースとを有し、ドレーンが正電圧に接続され、ソースが出力電圧を出力するｎ型トランジスタと、
第一端および第二端を有し、前記第一端がソースに接続され、前記第二端が接地電位に接続されている電源と、
前記ｎ型トランジスタと前記電源と入力電圧とに接続されているスイッチング回路とを備え、このスイッチング回路は、
第三端および第四端を有し、前記第三端が入力電圧に接続され、前記第四端がゲートに接続されている第一スイッチと、
第五端および第六端を有し、前記第五端が入力電圧および前記第三端に接続されている第二スイッチと、
第七端および第八端を有し、前記第七端が前記第六端に接続され、前記第八端が前記ソースおよび前記第一端に接続されている第三スイッチと、
第九端および第十端を有し、前記第九端が前記第四端および前記ゲートに接続され、前記第十端が前記第六端および前記第七端に接続されている蓄積用キャパシタと、
を備えたことを特徴とする表示器に適用される臨界電圧補償可能なソースホロワ。
【請求項２】
前記第一スイッチおよび前記第三スイッチをＯＮさせ前記第二スイッチをＯＦＦさせたとき、前記蓄積用キャパシタに蓄積された電位が前記ｎ型トランジスタの臨界電圧に等しく、前記第一スイッチおよび前記第三スイッチをＯＦＦさせ前記第二スイッチをＯＮさせたとき、ソースホロワのゲート電圧が入力電圧と臨界電圧との和であることを特徴とする請求項１に記載の臨界電圧補償可能なソースホロワ。
【請求項３】
前記ｎ型トランジスタは、ｎ型多結晶シリコン薄膜トランジスタであることを特徴とする請求項１に記載の臨界電圧補償可能なソースホロワ。
【請求項４】
第十一端および第十二端を有し、前記第十一端が前記第三端と前記第五端と入力電圧とに接続されている第四スイッチと、
第十三端および第十四端を有し、前記十三端が前記第十二端に接続され、前記第十四端が前記第一端と前記第八端とソースとに接続されている第五スイッチと、
第十五端および第十六端を有し、前記第十五端が前記第十二端および前記第十三端に接続され、前記第十六端が前記第六端と前記第七端と前記第九端とに接続されている前記補償用キャパシタと、
を更に備えたことを特徴とする請求項１に記載の臨界電圧補償可能なソースホロワ。
【請求項５】
前記第一スイッチと前記第三スイッチと前記第五スイッチとをＯＮさせ、第二スイッチと第四スイッチをＯＦＦさせたとき、前記蓄積用キャパシタに蓄積された電位がｎ型トランジスタの臨界電圧に等しく、補償用キャパシタが重畳され、第一スイッチと第三スイッチと第四スイッチとをＯＦＦさせ、第二スイッチと第五スイッチとをＯＮさせたとき、ソースホロワのゲート電圧が入力電圧と臨界電圧との和であり、入力電圧と出力電圧との差は誤差電圧であり、この誤差電圧は蓄積用キャパシタに蓄積され、第一スイッチと第二スイッチと第三スイッチと第五スイッチとをＯＦＦさせ、第四スイッチをＯＮさせたとき、ソースホロワのゲート電圧が入力電圧と臨界電圧と誤差電圧との和であることを特徴とする請求項４記載の臨界電圧補償可能なソースホロワ。
【請求項６】
ドレーンとゲートとソースとを有し、ドレーンが接地電位に接続され、ソースが出力電圧を出力するｐ型トランジスタと、
第一端および第二端を有し、第一端が正電圧に接続され、第二端がソースに接続されている電源と、
ｐ型トランジスタと前記電源と入力電圧とに接続されているスイッチング回路と、
を備え、このスイッチング回路は、
第三端および第四端を有し、第三端が入力電圧に接続され、第四端がゲートに接続されている第一スイッチと、
第五端および第六端を有し、第五端が入力電圧および第三端に接続されている第二スイッチと、
第七端及び第八端を有し、第七端が第六端に接続され、第八端がソース及び第二端に接続されている第三スイッチと、
第九端および第十端を有し、第九端が第四端およびゲートに接続され、第十端が第六端および第七端に接続されている蓄積用キャパシタと、
を備えたことを特徴とする表示器に適用される臨界電圧補償可能なソースホロワ。
【請求項７】
前記第一スイッチおよび前記第三スイッチをＯＮさせ、前記第二スイッチをＯＦＦさせたとき、前記蓄積用キャパシタに蓄積された電位が前記ｐ型トランジスタの臨界電圧に等しく、前記第一スイッチおよび前記第三スイッチをＯＦＦさせ、前記第二スイッチをＯＮさせたとき、ソースホロワのゲート電圧が入力電圧と臨界電圧との和であることを特徴とする請求項６に記載の臨界電圧補償可能なソースホロワ。
【請求項８】
前記ｐ型トランジスタは、ｐ型多結晶シリコン薄膜トランジスタであることを特徴とする請求項６に記載の臨界電圧補償可能なソースホロワ。
【請求項９】
第十一端および第十二端を有し、前記第十一端が前記第三端と前記第五端と入力電圧とに接続されている第四スイッチと、
第十三端および第十四端を有し、前記十三端が前記第十二端に接続され、前記第十四端が前記第二端と前記第八端とソースとに接続されている第五スイッチと、
第十五端および第十六端を有し、前記第十五端が前記第六端と前記第七端と前記第十端とに接続され、前記第十六端が前記第十二端と前記第十三端とに接続されている補償用キャパシタと、
を備えたことを特徴とする請求項６に記載の臨界電圧補償可能なソースホロワ。
【請求項１０】
前記第一スイッチと前記第三スイッチと前記第五スイッチとをＯＮさせ前記第二スイッチと前記第四スイッチをＯＦＦさせたとき、前記蓄積用キャパシタに蓄積された電位が前記ｐ型トランジスタの臨界電圧に等しく、前記補償用キャパシタが重畳され、前記第一スイッチと前記第三スイッチと前記第四スイッチとをＯＦＦさせ第二スイッチと第五スイッチとをＯＮさせたとき、ソースホロワのゲート電圧が入力電圧と臨界電圧との差であり、入力電圧と出力電圧との差は誤差電圧であり、この誤差電圧は蓄積用キャパシタに蓄積され、第一スイッチと第二スイッチと第三スイッチと第五スイッチとをＯＦＦさせ第四スイッチをＯＮさせたとき、ソースホロワのゲート電圧が入力電圧と臨界電圧および誤差電圧との差であることを特徴とする請求項９に記載の臨界電圧補償可能なソースホロワ。
【発明の詳細な説明】
【０００１】
【発明の属する技術分野】
本発明は、ソースホロワに関し、特に臨界電圧補償可能なソースホロワに関する。
【０００２】
【従来の技術】
液晶材料は、ヨーロッパで発見された後、その実用性はアメリカで研究開発された。また、日本は、液晶材料の物性および各分野での応用を検討しつつ、絶え間なく新世代の液晶平面表示器を研究製造している。現在、各種液晶表示技術は、既に広範囲的に表示器に応用されており、特に、液晶平面表示器（ＬＣＤ）は、各メーカによって、ＴＮ−ＬＣＤ（Ｔｗｉｓｔｅｄ  Ｎｅｍａｔｉｃ−Ｌｉｑｕｉｄ  Ｃｒｙｓｔａｌ  Ｄｉｓｐｌａｙ：ねじりネマチック−液晶表示器）からＳＴＮ−ＬＣＤ（Ｓｕｐｅｒ  Ｔｗｉｓｔｅｄ  Ｎｅｍａｔｉｃ−Ｌｉｑｕｉｄ  Ｃｒｙｓｔａｌ  Ｄｉｓｐｌａｙ：超ねじりネマチック−液晶表示器）に発展し、更に非晶体シリコンのＴＦＴ−ＬＣＤ（Ｔｈｉｎ  Ｆｉｌｍ  Ｔｒａｎｓｉｓｔｏｒ  ＬＣＤ：薄膜トランジスタ液晶平面表示器）まで発展しており、その規模が益々大きくなってきている。また、一部の液晶表示器メーカは、既に低温多結晶シリコンの平面表示器（ＬＰＴＳ：Ｌｏｗ  Ｔｅｍｐｅｒａｔｕｒｅ  Ｐｏｌｙ−Ｓｉ  Ｌｉｑｕｉｄ  Ｃｒｙｓｔａｌ  Ｄｉｓｐｌａｙ）の生産技術の研究開発を着手している。
【０００３】
現在、低温多結晶シリコン薄膜トランジスタは、既に液晶表示パネルに応用されており、そして液晶表示器の主動素子として用いられるだけでなく、高整合性の回路をガラス基板の回路に組み合わせる試みもなされている。なお、困難なのは、情報線の駆動回路である。つまり、低温結晶シリコン薄膜トランジスタの臨界電圧が比較的に高いため、アンプ回路を使用した場合、類比出力電圧は臨界電圧に影響されるので、信号の歪みが発生してしまう。
【０００４】
図１−１および図１−２は、臨界電圧補償可能なプッシュプル（Ｐｕｓｈ−Ｐｕｌｌ）式類比緩衝器の回路図および順次作動図である。このプッシュプル式類比緩衝器１００は、ｎ型トランジスタ１１０と、ｐ型トランジスタ１２０と、第一スイッチ１３２と、第二スイッチ１４２と、第三スイッチ１５２とを有している。
【０００５】
ここで、ｎ型トランジスタ１１０のドレーン１１２は正電圧に接続され、ソース１１４から出力電圧が出力されている。ｐ型トランジスタ１２０のソース１２４は、ｎ型トランジスタ１１０のソース１１４に接続され、ドレーン１２２は接地電位に接続され、ゲート１２６はｎ型トランジスタ１１０のゲート１１６に接続されている。第一スイッチ１３２は、第一端１３４及び第二端１３６を有し、第一端１３４は入力電圧に接続され、第二端１３６はｎ型トランジスタ１１０のゲート１１６に接続されている。第二スイッチ１４２は第三端１４４および第四端１４６を有し、第三端１４４は入力電圧に接続されている。第三スイッチ１５２は、第五端１５４及び第六端１５６を有し、第五端１５４は第四端１４６に接続され、第六端１５６はｎ型トランジスタ１１０のソース１１４に接続されている。蓄積用キャパシタ１６２は第七端１６４及び第八端１６６を有し、第七端１６４は第二端１３６に接続され、第八端１６６は第四端１４６に接続されている。
【０００６】
次に、プシュプル式類比緩衝器１００の動作を説明する。まず、第一スイッチ１３２と第三スイッチ１５２とをＯＮさせ、第二スイッチ１４２をＯＦＦさせておく。この際、蓄積用キャパシタ１６２に蓄積されている電位は、ｎ型トランジスタ１１０の臨界電圧に相当する。そして、第一スイッチ１３２および第三スイッチ１５２をＯＦＦさせ、第二スイッチ１４２をＯＮさせておく。このとき、ｎ型トランジスタ１１０のゲート１１６の電圧は、入力電圧と臨界電圧の和である。これにより、出力電圧は入力電圧に近似するようになり、入力電圧はｎ型トランジスタ１１０の臨界電圧より高い。
【０００７】
【特許文献１】
特開平５−１３４６２７号公報
【特許文献２】
特開平１０−３０１５３９号公報
【０００８】
【発明が解決しようとする課題】
しかし、プッシュプル式類比緩衝器１００において、入力電圧がｎ型トランジスタ１１０及びｐ型トランジスタ１２０の臨界電圧より低いとき、ｎ型トランジスタ１１０及びｐ型トランジスタ１２０が遮断領域で作動しているので、プッシュプル式類比緩衝器１００は正常に作動することができない。また、入力電圧によって臨界電圧が増加された後、プッシュプル式類比緩衝器１００の作動点が偏移するようになり、出力電圧と入力電圧との間に微小な誤差がある。また、高レベル解析のとき、誤差値はグレイレベル誤差の容認値を超えがちである。
【０００９】
以上の説明から判るように、従来のソースホロワは、以下のような欠点がある。
（１）プッシュプル式類比緩衝器１００は、入力電圧がトランジスタの臨界電圧より小さいとき、回路が正常に作動することができない。
（２）プッシュプル式類比緩衝器１００は、高レベル解析のときに作動する際、誤差値がグレイレベル誤差の容認値を超えがちである。
【００１０】
本発明は、表示器に適用される臨界電圧補償可能なソースホロワを提供する。キャパシタ及びスイッチを含む回路をソースホロワ回路の前に設置し、そして電源を利用して薄膜トランジスタの臨界電圧を固定することによって出力電圧を入力電圧に近づける。
【００１１】
【課題を解決するための手段】
本発明は、臨界電圧補償可能なソースホロワを提供している。このソースホロワは、ｎ型トランジスタと電源とスイッチング回路とを有する。このｎ型トランジスタは、ドレーンとゲートとソースとを有し、ドレーンは正電圧に接続され、ソースは出力電圧を出力する。電源は第一端および第二端を有し、第一端はｎ型トランジスタのソースに接続され、第二端は接地電位に接続されている。スイッチング回路は、ｎ型トランジスタと電源と入力電圧とに接続されている。このスイッチング回路は、第一スイッチと第二スイッチと第三スイッチと蓄積用キャパシタとを含んでいる。
【００１２】
本発明の好ましい実施例によれば、第一スイッチは第三端および第四端を有し、第三端は入力電圧に接続され、第四端はｎ型トランジスタのゲートに接続されている。
【００１３】
本発明の好ましい実施例によれば、第二スイッチは第五端および第六端を有し、第五端は入力電圧および第三端に接続されている。
【００１４】
本発明の好ましい実施例によれば、第三スイッチは第七端及び第八端を有し、第七端は第六端に接続され、第八端はｎ型トランジスタのソースと第一端とに接続されている。
【００１５】
本発明の好ましい実施例によれば、蓄積用キャパシタは、第九端および第十端を有し、第九端は第四端及びゲートに接続され、第十端は第六端および第七端に接続されている。
【００１６】
本発明の好ましい実施例によれば、第一スイッチ及び第三スイッチをＯＮさせ第二スイッチをＯＦＦさせたとき、蓄積用キャパシタに蓄積された電位は、ｎ型トランジスタの臨界電圧に等しい。この際、ｎ型トランジスタのゲート電圧は入力電圧と臨界電圧との和である。
【００１７】
本発明は、また、他の臨界電圧補償可能なソースホロワを提供している。このソースホロワは、ｐ型トランジスタと電源とスイッチング回路とを有する。このｐ型トランジスタは、ドレーンとゲートとソースとを有し、ドレーンは接地電位に接続され、ドレーンは出力電圧を出力する。電源は第一端および第二端を有し、第一端は正電圧に接続され、第二端はソースに接続されている。スイッチング回路は、ｐ型トランジスタと電源と入力電圧とに接続されている。このスイッチング回路は、第一スイッチと第二スイッチと第三スイッチと蓄積用キャパシタとを含んでいる。
【００１８】
本発明の好ましい実施例によれば、第一スイッチは第三端および第四端を有し、第三端は入力電圧に接続され、第四端はゲートに接続されている。
【００１９】
本発明の好ましい実施例によれば、第二スイッチは第五端および第六端を有し、第五端は入力電圧および第三端に接続されている。
【００２０】
本発明の好ましい実施例によれば、第三スイッチは第七端及び第八端を有し、第七端は第六端に接続され、第八端はソースと第二端とに接続されている。
【００２１】
本発明の好ましい実施例によれば、蓄積用キャパシタは、第九端および第十端を有し、第九端は第四端及びゲートに接続され、第十端は第六端および第七端に接続されている。
【００２２】
本発明の好ましい実施例によれば、第一スイッチ及び第三スイッチをＯＮさせ第二スイッチをＯＦＦさせたとき、蓄積用キャパシタに蓄積された電位は、ｐ型トランジスタの臨界電圧に等しい。この際、ｐ型トランジスタのゲート電圧は入力電圧と臨界電圧との差である。
【００２３】
【発明の実施の形態】
以下、好ましい実施例に基づいて図面を参照しながら、本発明の目的、特徴および効果を詳細に説明する。
【００２４】
本発明によれば、キャパシタ及びスイッチをｎ型トランジスタ（例えばｎ型低温多結晶シリコン薄膜トランジスタ）のソースホロワの前に設置し、或いはｐ型トランジスタ（例えばｐ型低温多結晶シリコン薄膜トランジスタ）のソースホロワの前に設置し、そして電源を利用してトランジスタの臨界電圧を固定する。このように、本発明のソースホロワはデッドエリアに作動することがない。また、本発明のソースホロワは表示器（例えば液晶表示器）に適用される。
【００２５】
次に、少なくとも１個のキャパシタ及び複数個のスイッチを有するスイッチング回路に基づいて本発明のソースホロワを説明する。まず、ｎ型トランジスタのソースホロワを例として説明を行う。図２−１及び図２−２は、本発明の好ましい実施例による臨界電圧補償可能なソースホロワを示す回路図および順次作動図である。図２−１に示すように、ソースホロワ２００は、ｎ型トランジスタ２１０と電源２２０とスイッチング回路２３０とを有する。ｎ型トランジスタ２１０は、ドレーン２１２とゲート２１６とソース２１４とを有する。ドレーン２１２は正電圧に接続され、ソース２１４は出力電圧を出力する。電源２２０は第一端２２２及び第二端２２４を有する。第一端２２２はｎ型トランジスタ２１０のソース２１４に接続され、第二端２２４は接地電位に接続されている。スイッチング回路２３０は、ｎ型トランジスタ２１０と電源２２０と入力電圧とに接続されている。
【００２６】
まず、第一スイッチ２３２と第二スイッチ２４２と第三スイッチ２５２と蓄積用キャパシタ２６２とを有するスイッチング回路２３０に基づいて説明を行う。スイッチング回路２３０において、第一スイッチ２３２は、第三端２３４及び第四端２３６を有し、第三端２３４は入力電圧に接続され、第四端２３６はｎ型トランジスタ２１０のゲート２１６に接続されている。第二スイッチ２４２は、第五端２４４及び第六端２４６を有し、第五端２４４は、入力電圧及び第三端２３４に接続されている。第三スイッチ２５２は第七端２５４および第八端２５６を有し、第七端２５４は第六端２４６に接続され、第八端２５６はｎ型トランジスタ２１０のソース２１４及び第一端２２２に接続されている。蓄積用キャパシタ２６２は第九端２６６及び第十端２６４に接続されている。第九端２６６は、第四端２３６及びゲート２１６に接続され、第十端２６４は第六端２４６及び第七端２５４に接続されている。次に、１個のキャパシタを有するソースホロワ２００の動作を説明する。まず、第一スイッチ２３２及び第三スイッチ２５２をＯＮさせ、第二スイッチ２４２をＯＦＦさせておく。この際、蓄積用キャパシタ２６２は、ｎ型トランジスタ２１０の臨界電圧に等しい電位を蓄積する。そして、第一スイッチ２３２及び第三スイッチ２５２をＯＦＦさせ、第二スイッチ２４２をＯＮさせておく。このとき、ｎ型トランジスタ２１０のゲート２１６の電圧は、入力電圧とｎ型トランジスタ２１０の臨界電圧との和であるので、出力電圧は入力電圧に近似するようになる。
【００２７】
次に、第四スイッチ２７２と第五スイッチ２８２と補償用キャパシタ２９２とを有するスイッチング回路２３０に基づいて説明を行う。なお、当業者として次のことを知っておくべきである。つまり、以下の説明に使われるスイッチング回路２３０は、二個のキャパシタと複数個のスイッチを含んでいるが、二個以上のキャパシタ及び複数個のスイッチを有するスイッチング回路も本発明に適用される。スイッチング回路２３０において、第四スイッチ２７２は、第十一端２７４及び第十二端２７６を有する。第十一端２７４は第三端２３４と第五端２４４と入力電圧に接続されている。第五スイッチ２８２は、第十三端２８４および第十四端２８６を有する。第十三端２８４は第十二端２７６に接続され、第十四端２８６は、第一端２２２と第八端２５６とｎ型トランジスタ２１０のソース２１４とに接続されている。補償用キャパシタ２９２は、第十五端２９４及び第十六端２９６を有する。第十五端２９４は、第十二端２７６と第十三端２８４とに接続され、第十六端２９６は、第六端２４６と第七端２５４と第十端２６４とに接続されている。次に、二個のキャパシタを有するソースホロワ２００の動作を説明する。まず、第一スイッチ２３２と第三スイッチ２５２と第五スイッチ２８２とをＯＮさせ、第二スイッチ２４２と第四スイッチ２７２とをＯＦＦさせておく。この際、蓄積用キャパシタ２６２に、ｎ型トランジスタ２１０の臨界電圧に等しい電位を蓄積すると共に、補償用キャパシタ２９２を重畳する。そして、第一スイッチ２３２と第三スイッチ２５２と第四スイッチ２７２とをＯＦＦさせ、第二スイッチ２４２と第五スイッチ２８２とをＯＮさせたとき、ｎ型トランジスタ２１０のゲート２１６の電圧は、入力電圧と蓄積用キャパシタ２６２に蓄積されている臨界電圧との和である。これにより、出力電圧との間に誤差電圧が生じ、この誤差電圧は補償用キャパシタ２９２内に蓄積される。最後に、第一スイッチ２３２と第二スイッチ２４２と第三スイッチ２５２と第五スイッチ２８２とをＯＦＦさせ、第四スイッチ２７２をＯＮさせておく。この際、ｎ型トランジスタ２１０のゲート２１６の電圧は、入力電圧と臨界電圧と誤差電圧との和であり、且つ出力電圧と入力電圧との電圧差をグレイレベル誤差の許容値以内に縮小することができる。以上の説明から判るように、スイッチング回路２３０が多くのキャパシタ及びスイッチを含んだ場合、入力電圧と出力電圧との誤差が小さくなる。
【００２８】
次に、ｐ型トランジスタのソースホロワを例として説明する。図３−１及び図３−２は、本発明における好ましい実施例による他の臨界電圧補償可能なソースホロワを示す回路図および順次作動図である。図３−１から判るように、ソースホロワ３００は、ｐ型トランジスタ３１０と電源３２０とスイッチング回路３３０とを有する。ｐ型トランジスタ３１０は、ドレーン３１２とゲート３１６ソース３１４とを含んでいる。ドレーン３１２は接地電位に接続され、ソース３１４は出力電圧を出力する。電源３２０は、第一端３２２及び第二端３２４を有し、第一端３２２は正電圧に接続され第二端３２４はソース３１４に接続される。スイッチング回路３３０は、ｐ型トランジスタ３１０と電源３２０と入力電圧とに接続されている。
【００２９】
まず、第一スイッチ３３２と第二スイッチ３４２と第三スイッチ３５２と蓄積用キャパシタ３６２とを有するスイッチング回路３３０を例として説明を行う。即ち、スイッチング回路３３０において、第一スイッチ３３２は第三端３３４及び第四端３３６を有し、第三端３３４は入力電圧に接続され、第四端３３６はｐ型トランジスタ３１０のゲート３１６に接続されている。第二スイッチ３４２は、第五端３４４及び第六端３４６を有し、第五端３４４は入力電圧および第三端３３４に接続されている。第三スイッチ３５２は、第七端３５４及び第八端３５６を有し、第七端３５４は第六端３４６に接続され、第八端３５６はｐ型トランジスタ３１０のソース３１４及び第二端３２４に接続されている。蓄積用キャパシタ３６２は、第九端３６４及び第十端３６６を有し、第九端３６４は第四端３３６及びｐ型トランジスタ３１０のゲート３１６に接続され、第十端３６６は第六端３４６及び第七端３５４に接続されている。次に、一個のキャパシタを含むソースホロワ３００の動作を説明する。まず、第一スイッチ３３２及び第三スイッチ３５２をＯＮさせ、第二スイッチ３４２をＯＦＦさせておく。この際、蓄積用キャパシタ３６２は、ｐ型トランジスタ３１０の臨界電圧に等しい電位を蓄積する。そして、第一スイッチ３３２及び第三スイッチ３５２をＯＦＦさせ、第二スイッチ３４２をＯＮさせておく。このとき、ｐ型トランジスタ３１０のゲート３１６の電圧は、入力電圧とｎ型トランジスタ３１０の臨界電圧との差である。従って、出力電圧は入力電圧に近似するようになる。
【００３０】
次に、第四スイッチ３７２と第五スイッチ３８２と補償用キャパシタ３９２とを有するスイッチング回路３３０に基づいて説明を続ける。なお、この分野の当業者として次のことに注意すべきである。即ち、以下の説明は、二個のキャパシタ及び複数個のスイッチを有するスイッチング回路３３０に基づくものではあるが、二個以上のキャパシタ及び複数個スイッチを含むスイッチング回路も本発明に適用される。詳しくは、スイッチング回路３３０において、第四スイッチ３７２は第十一端３７４及び第十二端３７６を有し、第十一端３７４は第三端３３４と第五端３４４と入力電圧とに接続されている。第五スイッチ３８２は、第十三端３８４及び第十四端３８６を有し、第十三端３８４は第十二端３７６に接続され、第十四端３８６は第二端３２４と第八端３５６とｐ型トランジスタ３１０のソース３１４とに接続されている。補償キャパシタ３９２は、第十五端３９４及び第十六端３９６を有し、第十五端３９４は第六端３４６と第七端３５４と第十端３６６とに接続され、第十六端３９６は第十二端３７６と第十三端３８４とに接続されている。次に、二個のキャパシタを含むソースホロワ３００の動作を説明する。まず、第一スイッチ３３２と第三スイッチ３５２と第五スイッチ３８２とをＯＮさせ、第二スイッチ３４２と第四スイッチ３７２とをＯＦＦさせておく。この際、蓄積用キャパシタ３６２に蓄積された電位は、ｐ型トランジスタ３１０の臨界電圧に等しく、補償キャパシタ３９２はこれに重畳される。そして、第一スイッチ３３２と第三スイッチ３５２と第四スイッチ３７２とをＯＦＦさせ、第二スイッチ３４２と第五スイッチ３８２とをＯＮさせる。この際、ｐ型トランジスタ３１０のゲート３１６の電圧は、入力電圧と臨界電圧との差であり、入力電圧と出力電圧との差は誤差電圧である。なお、このときの誤差電圧は、補償用キャパシタ３９２に蓄積される。最後に、第一スイッチ３３２と第二スイッチ３４２と第三スイッチ３５２と第五スイッチ３８２とをＯＦＦさせ、第四スイッチ３７２をＯＮさせておく。この際、ｐ型トランジスタ３１０のゲート３１６の電圧は、入力電圧と臨界電圧および誤差電圧との差であり、出力電圧と入力電圧との電圧差をグレイレベルの範囲内に縮小することができる。以上の説明から判るように、スイッチング回路３３０は、より多くのキャパシタ及びスイッチを含んだ場合、入力電圧と出力電圧との誤差が縮小される。
【００３１】
【発明の効果】
本発明の臨界電圧補償可能なソースホロワは、次のような効果を提供することができる。
（１）本発明に係る臨界電圧補償可能なソースホロワは、電源を使用しているので、トランジスタの臨界電圧を固定することができる。
（２）本発明に係る臨界電圧補償可能なソースホロワは、蓄積用キャパシタ及び補償用キャパシタを使用しているので、入力電圧を出力電圧とほぼ同じにすることができる。従って、出力電圧の誤差をグレイレベル電圧の誤差範囲内に留めることが可能となる。
【００３２】
以上のように本発明の好ましい実施例を説明したが、これは本発明を限定するわけではない。当業者であれば、本発明の精神および範囲を離脱しなくても、ある程度の変更および修正が可能である。なお、本発明に係る特許の保護範囲は、本願明細書に添付してある特許請求の範囲を基準とすべきである。
【図面の簡単な説明】
【図１−１】臨界電圧補償可能なプッシュプル式類比緩衝器を示す回路図である。
【図１−２】臨界電圧補償可能なプッシュプル式類比緩衝器の順次作動図である。
【図２−１】本発明の好ましい実施例による臨界電圧補償可能なソースホロワを示す回路図である。
【図２−２】本発明の好ましい実施例による臨界電圧補償可能なソースホロワの順次作動図である。
【図３−１】本発明の好ましい実施例による他の臨界電圧補償可能なソースホロワを示す回路図である。
【図３−２】本発明の好ましい実施例による他の臨界電圧補償可能なソースホロワの順次作動図である。
【符号の説明】
１００：プッシュプル式類比緩衝器
１１０，２１０：  ｎ型トランジスタ
１２０，３１０：  ｐ型トランジスタ
１１２，１２２，２１２，３１２：  ドレーン
１１４，１２４，２１４，３１４：  ソース
１１６，１２６，２１６，３１６：  ゲート
１３２，２３２，３３２：  第一スイッチ
１３４，２２２，３２２：  第一端
１３６，２２４，３２４：  第二端
１４２，２４２，３４２：  第二スイッチ
１４４，２３４，３３４：  第三端
１４６，２３６，３３６：  第四端
１５２，２５２，３５２：  第三スイッチ
１５４，２４４，３４４：  第五端
１５６，２４６，３４６：  第六端
１６２，２６２，３６２：  蓄積用キャパシタ
１６４，２５４，３５４：  第七端
１６６，２５６，３５６：  第八端
２００，３００：  ソースホロワ
２２０，３２０：  電源
２３０，３３０：  スイッチング回路
２６４，３６６：  第十端
２６６，３６４：  第九端
２７２，３７２：  第四スイッチ
２７４，３７４：  第十一端
２７６，３７６：  第十二端
２８２，３８２：  第五スイッチ
２８４，３８４：  第十三端
２８６，３８６：  第十四端
２９２，３９２：  補償用キャパシタ
２９４，３９４：  第十五端
２９６，３９６：  第十六端
【図１−１】
2004354560.tif 000003
【図１−２】
2004354560.tif 000004
【図２−１】
2004354560.tif 000005
【図２−２】
2004354560.tif 000006
【図３−１】
2004354560.tif 000007
【図３−２】
2004354560.tif 000008